(57)【要約】【課題】型枠用スペーサーボルトが設けられている躯体コンクリートは勿論のこと、設けられていない箇所の躯体コンクリートであっても優れた壁剥落防止効果が得られる湿式壁材の剥落防止工法を提供することにある。【解決手段】引抜抵抗部を形成した定着ボルト２をコネクター１に螺着し、該コネクター１を型枠３の内側に着脱自在に取り付けると共に、該型枠３内にコンクリートを打設し、該コンクリートが硬化した後前記型枠３とコネクター１を脱型し、該コネクターの脱型跡６に、多数の係合突起１４を有する壁係止補助具９をその係合突起１４が表面に露出するように埋設し、しかる後前記脱型後の躯体コンクリート８の表面に湿式壁材１０，１１を塗布することを特徴とする。【選択図】      図４
2004285671.tif 000002
【特許請求の範囲】
【請求項１】
引抜抵抗部を形成した定着ボルトをコネクターに螺着し、該コネクターを型枠の内側に着脱自在に取り付けると共に、該型枠内にコンクリートを打設し、該コンクリートが硬化した後前記型枠とコネクターを脱型し、該コネクターの脱型跡に、多数の係合突起を有する壁係止補助具をその係合突起が表面に露出するように埋設し、しかる後前記脱型後の躯体コンクリートの表面に湿式壁材を塗布する湿式壁材の剥落防止工法。
【請求項２】
前記引抜抵抗部が前記定着ボルトに形成したフランジ部、屈曲部または表面凹凸部である請求項１に記載の湿式壁材の剥落防止工法。
【請求項３】
前記壁係止補助具の相互間に線状材を掛け渡すようにする請求項１又は２に記載の湿式壁材の剥落防止工法。
【請求項４】
前記湿式壁材に短繊維を混合する請求項１、２又は３に記載の湿式壁材の剥落防止工法。
【請求項５】
前記躯体コンクリートが軒天を構成する部分である請求項１〜４のいずれかに記載の湿式壁材の剥落防止工法。
【発明の詳細な説明】
【０００１】
【発明の属する技術分野】
本発明は湿式壁材の剥落防止工法に関し、さらに詳しくは、躯体コンクリートにおいて、特に梁下や天井面などの軒天と呼ばれる部分に塗布される湿式壁材の剥落防止工法に関する。
【０００２】
【従来の技術】
型枠を外した後の躯体コンクリートの表面は、そのままでは外観が悪いため、表面仕上げとしてモルタルなどを一定厚みに塗布するか、またはそのモルタルの上に、さらにタイルなどを貼りつけることが一般に行われている。しかし、後から塗布したモルタルは、温度や湿度の変化に伴う膨張や収縮、反りなどの歪みを受けたり、また、躯体コンクリートとモルタルとの間に浸入した雨水が凍結膨張するなどすることにより躯体コンクリートから剥離し、場合によっては剥落するという問題があった。
【０００３】
このような問題の対策として、本出願人等は特開２０００−４５４８０号公報において、コンクリート型枠内のスペーサボルトと型枠締付ボルトとの間を連結するコネクタの除去跡（いわゆるコーン跡）を利用し、そのコーン跡に特殊な係合突起を有する壁係止補助具を埋め込むことにより、モルタルの剥落を防止することを提案した。しかしながら、この防止方法は、型枠のスペーサーボルトを利用するものであるため、梁下や天井面などいわゆる軒天とよばれる部分のようにスペーサーボルトが設けられない場所に塗布されたモルタルなどの剥落防止には利用することが出来なかった。また、壁や柱などのスペーサーボルトが設けられた箇所であっても、剥落防止効果を高める為に壁係止補助具の個数を多くしたい場合には、利用することはできなかった。
【０００４】
【発明が解決しようとする課題】
本発明の目的は、上記した従来の問題を解決し、型枠用スペーサーボルトが設けられている躯体コンクリートは勿論のこと、設けられていない箇所の躯体コンクリートであっても優れた壁剥落防止効果が得られる湿式壁材の剥落防止工法を提供することにある。
【０００５】
【課題を解決するための手段】
上記目的を達成する本発明の湿式壁材の剥落防止工法は、引抜抵抗部を形成した定着ボルトをコネクターに螺着し、該コネクターを型枠の内側に着脱自在に取り付けると共に、該型枠内にコンクリートを打設し、該コンクリートが硬化した後前記型枠とコネクターを脱型し、該コネクターの脱型跡に、多数の係合突起を有する壁係止補助具をその係合突起が表面に露出するように埋設し、しかる後前記脱型後の躯体コンクリートの表面に湿式壁材を塗布することを特徴とするものである。
【０００６】
このように引抜抵抗部を形成した定着ボルトをコネクターと共に型枠の内側に取り付けてコンクリートを打設するので、型枠用のスペーサボルトが設けられていない場所でも、上記定着ボルトを利用してコネクターの脱型跡に壁係止補助具を係合突起が表面に露出するように埋め込むことができる。したがって、この壁係止補助具により優れた壁剥落防止効果を得ることができる。
【０００７】
【発明の実施の形態】
本発明において、湿式壁材とは躯体コンクリート表面に塗布するモルタル、しっくいなど直接表面材として塗布する材料のほか、タイル張りの接着材として使用されるモルタル、有機系接着剤、コーキング材などの湿式壁材などをいう。
【０００８】
また、従来のスペーサボルトの代替になる定着ボルトに形成される引抜抵抗部としては、定着ボルトを躯体コンクリートから引き抜くときに大きな抵抗を発生する形態であればよく、特に限定されるものではない。例えば、フランジ部や、Ｌ形やＴ形などの屈曲部や、ネジなどの表面凹凸部を挙げることができる。
【０００９】
本発明の剥落防止工法の効果を一層向上するには、コネクター脱型跡に埋設する複数の壁係止補助具相互間で、それらの係止突起間に線状材を掛け渡すようにするとよい。このように壁係止補助具相互間に掛け渡した線状材が湿式壁材に対する係止力を増大し、剥落防止効果を高めることができる。線状材としては、例えば、ステンレス線、繊維コード、樹脂製モノフィラメントなどを例示することができる。
【００１０】
また、湿式壁材には短繊維を混合分散させると、湿式壁材自体の強度を向上すると共に、面連結性を向上するため剥落防止効果を一層高めることができる。短繊維の素材は特に限定されないが、コンクリートはアルカリ性であるので、好ましくはアルカリに対して耐腐食性に優れたポリアミド繊維を使用するのがよい。また、湿式壁材に短繊維を配合すると共に、上記のように線状材を併用すると、湿式壁材の剥落防止効果を更に向上することができる。
【００１１】
以下、図に示す本発明の実施形態により具体的に説明する。
【００１２】
図１〜図４は、本発明による湿式壁材の剥落防止工法を工程順に示したものである。
【００１３】
図１はコンクリート型枠の組立工程を示し、１はコネクタ、２は定着ボルト、３は型枠、４はホームタイである。コネクター１は、一方の端部にメネジ部１ａを設けると共に、他方の端部にボルト部１ｂを一体に取り付けている。定着ボルト２は、その端部にフランジ部７を引抜抵抗部として一体に形成している。また、型枠３には、コネクター１を取り付ける貫通孔５が設けられている。
【００１４】
定着ボルト２に形成する引抜抵抗部としては、上記フランジ部７のほか、例えば、図５に示すＴ字型をした屈曲部１６や、図６に示すＬ字型をした屈曲部１７、或いは図７に示すネジ部からなる表面凹凸部１８などの引抜に対して抵抗力を発生する形態のものであればよい。
【００１５】
コンクリート型枠の組立工程では、まずコネクター１のメネジ部１ａに定着ボルト２を螺着して、両者を連結する。この定着ボルト２を連結したコネクター１を、そのボルト部１ｂを型枠３の貫通孔５に内側から挿通させて外側へ突出させ、そのボルト部１ｂにホームタイ４を螺合させて締め付け固定する。このコネクター１と定着ボルト２の固定作業を、型枠３の内面に所定間隔に複数箇所に実施する。次いで、このようにして多数のコネクター１と定着ボルト２が固定された型枠３内側の打設用空間Ｓに、コンクリートを打設する。
【００１６】
打設したコンクリートが硬化すると、次に脱型作業をする。脱型作業は、ホームタイ４を取り外してから型枠３を引き剥がし、さらにコネクター１を脱型して、定着ボルト２だけが残像した状態にし、図２に示すような躯体コンクリート８を形成する。コネクター１を取り外したあとには脱型跡６が形成されている。また、定着ボルト２は、フランジ部７が躯体コンクリート８内に埋設されているため、大きな引抜抵抗が与えられる。
【００１７】
次に、図３に示すように、コネクター１の脱型跡６に壁係止補助具９を挿入すると共に、メネジ部９ａを定着ボルト２に螺合させることにより固定する。壁係止補助具９は頭部表面に多数のループ状の係合突起１４を有し、この係合突起１４を躯体コンクリート８の表面に露出した状態にする。
【００１８】
次いで、係合突起１４が露出した躯体コンクリート８の表面に対し、複数の壁係止補助具９の相互間に係合突起１４の間を連結するように線状材１５を掛け渡し、その表面に、短繊維１２を混合した下地モルタル１０を塗布する。さらに、同じく短繊維１２を混合したタイル接着モルタル１１を塗布して外装タイル１３を張り付け、図４に示す状態にして、タイルの張り付け施工が完了する。
【００１９】
上記のようにして塗布された下地モルタル１０は、壁係止補助具９の係合突起１４により係止され、躯体コンクリート８から剥落しにくくなる。また、下地モルタル１０とタイル接着モルタル１１には短繊維１２が添加されているため、モルタルの面連結性が向上し、さらに剥落防止効果が高められる。
【００２０】
上述したように、本発明の剥落防止工法では、型枠３にコネクター１を介して定着ボルト２を取り付けるので、梁下や天井面などいわゆる軒天とよばれる部分のようにスペーサーボルトが設けられない場所であっても壁係止補助具９の取り付けが可能になり、湿式壁材に優れた剥落防止効果を与えることができる。また、壁や柱などのスペーサーボルトが設けられる箇所であっても、さらに剥落防止効果を高める為に、壁係止補助具９の個数を多くしたい場合に大いに利用することができる。
【００２１】
定着ボルト及び壁係止補助具の材質としては、コンクリートや湿式壁材に侵されず、また、湿式壁材を把持できるだけの強度を有しているものであれば特に限定されない。好ましくは樹脂を使用するとよく、なかでも射出成形が容易な熱可塑性樹脂や高強度を得やすい熱硬化性樹脂が好ましい。
【００２２】
熱可塑性樹脂としては、６−ナイロンや６，６−ナイロン、ポリフェニレンサルファイド（ＰＰＳ）、ポリエステル、ポリエチレン、ポリプロピレン、ポリスチレン、高衝撃ポリスチレン（ＨＩＰＳ）、ＡＢＳ樹脂、変性ポリフェニレンオキサイド（変性ＰＰＯ）、ポリアミドエラストマー、ポリエステルエラストマーなどの樹脂を挙げることができる。特に、アルカリ性であるコンクリートに対して耐性があり、かつ強度的にも優れているＰＰＳや６−ナイロンが好ましい。
【００２３】
これらの樹脂には、ガラス繊維や炭素繊維などの短繊維状の補強繊維を混入させた繊維強化樹脂を用いると強度が増し好ましい。強度が増すことにより、湿式壁材から受ける力による係合突起の変形を少なくし、剥落防止効果を高めることができる。
【００２４】
壁係止補助具の係合突起は、図に例示したループ状のほか、フック状やロッド状にすることができる。これら係合突起を多数形成することにより、壁係止補助具１個あたりのモルタルに対する係止力を５００Ｎ以上になるように設計することが好ましい。このように設計することで、剥落防止効果をより高くすることができる。係止力を５００Ｎ以上とするためには、例えば、ループ状の係合突起の場合は、各ループの太さ（直径）を０．１〜３ｍｍの範囲、ループ直径を２〜１０ｍｍの範囲にすることが好ましい。また、フック状の係合突起の場合は、各フックの太さ（直径）を０．１〜５ｍｍの範囲にすることが好ましい。さらに、ロッド状の係合突起の場合には、各ロッドの太さ（直径）を０．１〜５ｍｍの範囲、高さを２〜１０ｍｍの範囲にすることが好ましい。なお、この係止力とは、壁係止補助具にモルタル（セメントと砂の混合比１：２．５）を１０ｍｍの厚みで塗布して硬化させた後、引っ張り試験機にて引っ張り、係合突起が破断もしくは破壊したときの荷重をいう。
【００２５】
また、壁係止補助具１個当たりに設ける係合突起の数としては、繊維強化樹脂を用いない場合には、２０〜５０個の範囲、繊維強化樹脂を用いる場合には５〜３０個の範囲にすることが好ましい。
【００２６】
本発明は、モルタルに代表される湿式壁材の剥落防止に効果的であるが、しっくい、有機系接着剤、コーキング材などの他の湿式壁材に対しても適用することができる。
【００２７】
【発明の効果】
上述したように、本発明によれば、型枠用スペーサーボルトが設けられている躯体コンクリートは勿論のこと、設けられていない箇所の躯体コンクリートであっても壁係止補助具の取り付けを可能にし、優れた壁剥落防止効果が得られるようにすることができる。
【図面の簡単な説明】
【図１】本発明の湿式壁材の剥落防止工法における型枠組立時の工程を示す概略縦断面図である。
【図２】図１の状態からコンクリートを打設した後、型枠とコネクタを脱型した工程を示す概略縦断面図である。
【図３】図２の状態から壁係止補助具を取り付けた工程を示す概略縦断面図である。
【図４】図３の状態からタイル張り仕上げを行った工程を示す概略縦断面図である。
【図５】本発明の他の実施形態を示す図２に相当する概略縦断面図である。
【図６】本発明の更に他の実施形態を示す図２に相当する概略縦断面図である。
【図７】本発明の更に他の実施形態を示す図２に相当する概略縦断面図である。
【符号の説明】
１  コネクター
１ａ  メネジ部
１ｂ  ボルト部
２  定着ボルト
３  型枠
４  ホームタイ
５  貫通孔
６  （コネクターの）脱型跡
７  フランジ部（引抜抵抗部）
８  躯体コンクリート
９  壁係止補助具
９ａ  メネジ部
１０  下地モルタル
１４  係合突起
【図１】
2004285671.tif 000003
【図２】
2004285671.tif 000004
【図３】
2004285671.tif 000005
【図４】
2004285671.tif 000006
【図５】
2004285671.tif 000007
【図６】
2004285671.tif 000008
【図７】
2004285671.tif 000009